(57)【特許請求の範囲】
【請求項１】
生体情報を処理する生体情報処理装置本体と、
前記生体情報処理装置で処理する生体情報を収集するための第１の先端部と、前記第１の先端部と前記生体情報処理装置本体とを接続する第１の接続ケーブルと、前記第１の先端部よりの収集生体情報を前記生体情報処理装置本体内に導くためのケーブルコネクタとが配設された第１の測定プローブと、
前記生体情報処理装置本体に着脱可能で前記第１の測定プローブを収納可能な略箱形形状のホルダ部とを備える生体情報処理装置の筐体構造であって、
前記生体情報処理装置本体には、該本体の一方側面の下部より外方に所定量延出し、上面に前記ケーブルコネクタを係合する受けコネクタが配設されたケーブル接続部と、前記一方側面上部に前記ホルダ部を係止する係止部が配設されており、
前記ホルダ部の、前記生体情報処理装置本体側側面には前記係止部と係合する係合部が、底面には前記受けコネクタと前記ケーブルコネクタとの係合状態時に前記ケーブルコネクタ係合部位に当接しない様に凹部が形成され、係合状態の前記ケーブルコネクタを前記ホルダ部で保護すると共に非測定時に前記測定プローブを前記ホルダ部に収納可能とすることを特徴とする生体情報処理装置の筐体構造。
【請求項２】
前記係止部は前記一方側面上部に配設された少なくとも２つの茸状フックであり、
前記係合部は前記茸状フックの基部が嵌入可能な略Ｕ字状切欠形状であり、前記ホルダ部の前面は係合状態時に少なくとも前面下面が前記ケーブル接続部上面に当接していることを特徴とする請求項１記載の生体情報処理装置の筐体構造。
【請求項３】
前記受けコネクタは前記ケーブル接続部上面の略中央部近傍に配設され、前記ホルダ部の底面の凹部は前記ケーブルコネクタ及び前記第１の接続ケーブルが非接触となる範囲で形成され、係合状態時に外側側面が前記ケーブル接続部上面に略当接状態に形成されていることを特徴とする請求項１又は請求項２のいずれかに記載の生体情報処理装置の筐体構造。
【請求項４】
前記生体情報処理装置本体の背面からは、前記測定プローブとは別個に前記生体情報処理装置本体内部の制御基板に直接接続された第２の接続ケーブルと、前記第２の接続ケーブル端部に接続された生体情報を収集するための第２の先端部とが配設された第２の測定プローブが配設されており、前記第１の測定プローブは必要に応じて前記受けコネクタに接続して使用可能であることを特徴とする請求項１乃至請求項３のいずれかに記載の生体情報処理装置の筐体構造。
【請求項５】
前記ケーブル接続部上面の、前記受けコネクタの上面部分には、初期状態では打ち抜いて開口可能な蓋部が形成されており、前記第１の測定プローブを接続するときに前記蓋部を打ち抜いて前記受けコネクタを露出させ、前記第１の測定プローブの前記ケーブルコネクタを係合可能に構成されていることを特徴とする請求項４記載の生体情報処理装置の筐体構造。
【請求項６】
前記生体情報処理装置は超音波診断装置であり、前記先端部は超音波を放射すると共に生体内より反射してくる超音波信号を受信するものであることを特徴とする請求項１乃至請求項５のいずれかに記載の生体情報処理装置の筐体構造。
【発明の詳細な説明】
【０００１】
【産業上の利用分野】
本発明は、装置側面に生体情報を収集する生体情報収集部を収納可能なホルダ部を着脱可能な生体情報処理装置の筐体構造に関するものである。
【０００２】
【従来の技術】
近年、半導体技術の進歩により生体情報を収集して解析、表示する生体情報処理装置や検査機器においても小型軽量化が進み、従来であれば専用の検査室に固定的に配置して検査等を行っていたものが、容易に移動することが可能となり一般の治療室やベッドサイドで使用可能になってきている。
【０００３】
特に近時携帯可能な小型の機器も多く登場してきている。この結果、従来は一ヶ所に固定して用いていたような機器も持ち運んで使用されるようになり、使用環境も大きく変わってきている。
【０００４】
しかしながら、ベッドサイドなどは一般の生活環境に近く、また、一般の治療室や検査室においても生体情報処理装置の周囲に種々の物が置かれているのが現状である。この結果、誤って薬や水等を生体情報処理装置にかけてしまうことも考えられる。
【０００５】
このような場合に液体がそのまま装置内に進入しては電子機器である生体情報処理装置が動作不能に成ってしまうばかりか、装置内部でのショート状態により生体に電流が逆流することになっては重大な事態が発生する虞もあった。
【０００６】
この結果、従来のこの種の装置においては、外部筐体を上部から液体などをかけても内部に進入しない密閉構造とするなどして対処してきていた。
【０００７】
【発明が解決しようとする課題】
しかしながら、生体情報処理装置では生体情報を入力して入力した生体情報を処理する装置であり、どうしても生体よりの収集情報を入力する手段を備えなければならない。例えば、生体情報を収集する生体情報収集部よりの収集情報を装置内に取込むために、装置の例えば背面あるいは前面に生体情報収集部を接続するための接続コネクタを設け、この接続コネクタに生体情報収集部よりの接続ケーブル端部の対応するコネクタ部を係合しているのが実情であった。
【０００８】
この結果、生体情報処理装置に突出部が設けられた形態であり、これがなにかと接触して生体情報処理装置が設置場所から移動したり、極端な場合には床に落下したりすることにもなる。また、接続ケーブル及び生体情報収集部も装置近傍に置かなければならず、この部分に接触などして上記事態が発生することにもなっていた。
【０００９】
さらに、筐体部分をせっかく液密に構成しても、このコネクタ部より液体が進入してコネクタ部分でのショートが発生する虞があった。
【００１０】
【問題点を解決するための手段】
本発明は上述の問題点を解決することを目的としてなされたもので、例えば、安全性が高く、且つ不用意な突出部のない使いやすい生体情報処理装置を提供することを目的とする。係る目的を達成する一手段として、例えば以下の構成を備える。
【００１１】
即ち、生体情報を処理する生体情報処理装置本体と、前記生体情報処理装置で処理する生体情報を収集するための第１の先端部と、前記第１の先端部と前記生体情報処理装置本体とを接続する第１の接続ケーブルと、前記第１の先端部よりの収集生体情報を前記生体情報処理装置本体内に導くためのケーブルコネクタとが配設された第１の測定プローブと、前記生体情報処理装置本体に着脱可能で前記第１の測定プローブを収納可能な略箱形形状のホルダ部とを備える生体情報処理装置の筐体構造であって、前記生体情報処理装置本体には、該本体の一方側面の下部より外方に所定量延出し、上面に前記ケーブルコネクタを係合する受けコネクタが配設されたケーブル接続部と、前記一方側面上部に前記ホルダ部を係止する係止部が配設されており、前記ホルダ部の、前記生体情報処理装置本体側側面には前記係止部と係合する係合部が、底面には前記受けコネクタと前記ケーブルコネクタとの係合状態時に前記ケーブルコネクタ係合部位に当接しない様に凹部が形成され、係合状態の前記ケーブルコネクタを前記ホルダ部で保護すると共に非測定時に前記測定プローブを前記ホルダ部に収納可能とすることを特徴とする
【００１２】
そして例えば、前記係止部は前記一方側面上部に配設された少なくとも２つの茸状フックであり、前記係合部は前記茸状フックの基部が嵌入可能な略Ｕ字状切欠形状であり、前記ホルダ部の前面は係合状態時に少なくとも前面下面が前記ケーブル接続部上面に当接していることを特徴とする。
【００１３】
また例えば、前記受けコネクタは前記ケーブル接続部上面の略中央部近傍に配設され、前記ホルダ部の底面の凹部は前記ケーブルコネクタ及び前記第１の接続ケーブルが非接触となる範囲で形成され、係合状態時に外側側面が前記ケーブル接続部上面に略当接状態に形成されていることを特徴とする。
【００１４】
さらに例えば、前記生体情報処理装置本体の背面からは、前記測定プローブとは別個に前記生体情報処理装置本体内部の制御基板に直接接続された第２の接続ケーブルと、前記第２の接続ケーブル端部に接続された生体情報を収集するための第２の先端部とが配設された第２の測定プローブが配設されており、前記第１の測定プローブは必要に応じて前記受けコネクタに接続して使用可能であることを特徴とする。
【００１５】
又例えば、前記ケーブル接続部上面の、前記受けコネクタの上面部分には、初期状態では打ち抜いて開口可能な蓋部が形成されており、前記第１の測定プローブを接続するときに前記蓋部を打ち抜いて前記受けコネクタを露出させ、前記第１の測定プローブの前記ケーブルコネクタを係合可能に構成されていることを特徴とする。
【００１６】
さらに例えば、前記生体情報処理装置は超音波診断装置であり、前記先端部は超音波を放射すると共に生体内より反射してくる超音波信号を受信するものであることを特徴とする。
【００１７】
【発明の実施の形態】
以下、図面を参照して本発明に係る一発明の実施の形態例を詳細に説明する。以下の説明は、生体情報処理装置として超音波診断装置に適用した場合を例として行う。しかし、本発明は以上の例に限定されるものではなく、各種の生体情報処理装置に適用できる。
【００１８】
図１は本発明に係る一発明の実施の形態例の生体情報処理装置の概略構成を示す上面図、図２は本実施の形態例の生体情報処理装置の正面図、図３は本実施の形態例の生体情報処理装置の右側面、図４は本実施の形態例の生体情報処理装置の生体情報処理装置本体とホルダ部と係合部の構成を示す図、図５は本実施の形態例の生体情報処理装置の生体情報処理装置本体へのホルダ部の装着を説明するための図である。
【００１９】
図において、１００はカバー部、２００はキーボード部、３００は生体情報処理装置本体（以下「装置本体」と称す。）、４００は装置本体３００の側面に装着される測定プローブを収納可能なホルダ部である。キーボード部２００が配設されたカバー部１００は、装置を使用しない時には基部を支点としてモニタ部３２０方向に回動し、キーボード部２００及びモニタ部３２０を完全にカバーする。
【００２０】
本実施の形態例においては、キーボード部２００により操作部５１０、６１０よりの放射超音波の強度調整、エコー検出の感度調整、その他の各種操作指示、動作指示を行うことができる。
【００２１】
５００はオプションで装着可能な生体情報収集部であるオプション測定プローブであり、操作部５１０の先端より超音波を放射して生体よりのエコーを検出し、接続ケーブル５３０、接続コネクタ５２０を介して装置本体３００に送信可能に構成されている。また、６００は生体情報処理装置に内蔵されている標準測定プローブであり、先端部には操作部６１０を有してあり、接続ケーブル６３０端部は装置本体３００に内蔵されている制御基板に直接接続されている。
【００２２】
本実施の形態例においては、装置本体３００の下部の幅広部分に制御基板を含む本体制御部が内蔵されており、測定プローブ５００、６００で収集した生体情報の取り込み及び解析、並びに解析結果の表示制御などを行なっている
そして、装置本体３００の本体制御部の向かって左側上部には解析結果などを表示するモニタ部３２０が設けられており、モニタ部３２０の上部には装置本体３００を持ち運ぶための取っ手３３０が配設されている。
【００２３】
また、装置本体３００の本体制御部の向かって右側端部近傍の上部は何も設けない空間部とし、オプションの測定プローブ５００接続部としている。具体的には、装置本体に内蔵されている制御基板の空間部の略中央近傍位置（図４の３７０位置下部）にオプション測定プローブ５００の接続コネクタ５２０に係合する受けコネクタを実装している。
【００２４】
出荷状態時における装置筐体の上記受けコネクタ上面部は、図４に３７０で示す孔が形成されているのではなく、所定の応力を加えると打ち抜かれて接続コネクタ５２０を受けコネクタに装着することが可能な大きさの孔３７０が形成できるように、周辺部に切欠部及び切り込み溝が形成された状態に形成されている。
【００２５】
この結果、オプション測定プローブ５００を新たに装置本体に接続しようとするときには、この切り込み溝が形成された受けコネクタ上部を上から押圧する等して打ち抜き、孔３７０を開ける。そして、固定レバー５２５を接続コネクタ５２０の長手方向に直交する位置にして受けコネクタに嵌合挿入する。そして固定レバー５２５を長手方向に回転させて不図示のコネクタ挿入機構により確実に受けコネクタと接続コネクタ５２０とを接続状態とすると共に抜けないように固定する。その後後述するホルダ部４００を装置本体３００に装着すれば、接続コネクタ５２０部分は外部より遮蔽された状態となる。
【００２６】
また、本実施の形態例においては、標準測定プローブ６００を制御基板に直接接続することとしているのは、装置本体３００がポータブル型であり、背面に接続のためのコネクタを設けてこのコネクタを介して接続する構成としては、背面にコネクタ部が突出した構成となってしまうことを防ぐためである。
【００２７】
例えば、患者の身の回りの世話をしているときなどにおいて、このコネクタ部が何かに引っかかったりしては、装置そのものの転倒などの可能性があり、装置を破損する虞がある点、また誤って水等をかけてしまったような場合にコネクタ内に水が進入して装置の破損などに結びつく虞がある点、コネクタを経由することにより計時変化や接触不良による誤動作が起きる可能性がある点等の不具合を未然に防止できるからである。
【００２８】
特に、この種の装置を患者のベッドサイドに設置して検査等をする場合には、装置転倒の虞や水等がかかってしまう事態が起きる可能性があり、このような事態を未然に防止することが装置の信頼性を上げるために有効であるからである。これはオプション測定プローブ５００の場合にも同様のことが言える。しかし、オプションの測定プローブ５００を制御基板に直接接続することとしては、顧客への納入後に追加納入するような場合に、非常に面倒な操作を行わなければならず、又装置に習熟した熟練者でなければ行えなくなってしまう。
【００２９】
そこで本実施の形態例においては、装置本体３００の下部の制御基板配設部の右側をプローブ接続部３５０とし、上記問題点を克服しつつ上述した簡単な操作でだれでも容易にオプション測定プローブ５００を接続できるように構成している。
【００３０】
装置本体３００のモニタ部３２０右側面には、ホルダ部４００を装着するための２つのキノコ状の（断面略Ｔ字状の）フック３６０が埋設されており、ホルダ部４００の装置本体３００側面側には、このフック３６０の基部が少なくとも嵌入可能で幅がフック３６０の傘部分の径以下のＵ字状切欠部４５０が形成されている（図４、図５参照）。
【００３１】
ホルダ部４００の前面及び背面の形状は、図３に鎖線で示す様に、装置本体３００のプローブ接続部３５０面に当接している。なお、背面においては、接続ケーブル５３０導出部のみ切り欠かれた形状となっている。また、ホルダ部の内側のポケット部は、図３に鎖線で示すように接続コネクタ５２０を装着した時に、ホルダ部４００の底面が接触しないように逆凹形状に形成されており、接続コネクタ５２０の固定レバー５２５対応部分が浅くなっている。
【００３２】
この結果、オプション測定プローブ５００の接続コネクタ５２０を装置本体３００に接続した状態でホルダ部４００をモニタ部３２０側面に装着することができる。
【００３３】
ホルダ部４００をモニタ部３２０側面に装着するには、Ｕ字状切欠部４５０をフック３６０上部に位置決めして、上からＵ字状切欠部４５０内にフックの基部を差し込み、プローブ接続部３５０の上面に当接させる。これにより、容易かつ確実にホルダ部４００を装置本体３００に装着することができる。この装着状態を図５の一部断面図に示す。
【００３４】
測定プローブ５００、６００をホルダ部４００に収納する際には、接続ケーブル５３０、６３０を装置本体３００の背面に固定されているケーブルハンガー３４０先端のリング部３４５に通し、その先の接続ケーブル５３０、６３０をまとめてホルダ部４００のポケット部の後部４２０に収納し、操作部５１０、６１０をポケット部の前部４１０に収納することにより、効率よく、かつきれいに収納できる。
【００３５】
さらに、接続コネクタ５２０をホルダ部４００で確実に覆うことができ、ホルダ部４００を装着した状態であれば、誤って上部より水等を掛けてしまっても、接続コネクタ５２０部分に水分がかかることはなく、装置の故障などを防ぐことができる。
【００３６】
なお、装置本体背面の３６０に示す突出部は、コードを巻き付けるためのバーであり、電源コードなどを巻き付けて固定することができる。
【００３７】
なお、以上の説明は、受けコネクタ上部は出荷時においては孔が配設されていない状態であったが、出荷時より孔を開けた状態であってもよいことは勿論である。さらに、ホルダ部４００下部にオプション測定プローブ５００を接続し、標準測定プローブ６００は装置背面よりコネクタを介さずに接続されている構成であったが、プローブ接続部３５０上部より標準測定プローブを直接接続しても、コネクタを介して接続してもよい。いずれの場合にもコネクタ部分が突出するようなことは防げるため、上記同様の作用効果を得られる。
【発明の効果】
以上説明した様に本発明によれば、ホルダ部で測定プローブの生体情報処理装置本体との接続部を保護することができ、接続部のコネクタが外部に突出したり露出することがないため、不用意に上部より液体がかけられたような場合であっても、コネクタ部に液体が進入することを防止でき、信頼性の高い生体情報処理装置が提供できる。
【００３８】
しかも、測定プローブ不使用時にはホルダ部内に測定プローブを収納することができるため、測定プローブが他のものに引っかかったりすることを未然に防止できると共に、移動時などにも測定プローブの処置に困るようなことがない便利な生体情報処理装置が提供できる。
【００３９】
【図面の簡単な説明】
【図１】本発明に係る一発明の実施の形態例の生体情報処理装置の概略構成を示す上面図である
【図２】本実施の形態例の生体情報処理装置の正面図である。
【図３】本実施の形態例の生体情報処理装置の右側面である。
【図４】本実施の形態例の生体情報処理装置の生体情報処理装置本体とホルダ部と係合部の構成を示す図である。
【図５】本実施の形態例の生体情報処理装置の生体情報処理装置本体へのホルダ部の装着を説明するための図である。
【符号の説明】
１００  カバー部
２００  キーボード部
３００  生体情報処理装置本体（装置本体）
３２０  モニタ部
３３０  取っ手
３４０  ケーブルハンガー
３４５  リング部
３５０  プローブ接続部
３６０  フック
４００  ホルダ部
４１０  ポケット部の前部
４２０  ポケット部の後部
４５０  Ｕ字状切欠部
５００  オプション測定プローブ
５１０、６１０  操作部
５２０  接続コネクタ
５２５  固定レバー
５３０、６３０  接続ケーブル
６００  標準測定プローブ
【図１】
0004205213.tif 000002
【図２】
0004205213.tif 000003
【図３】
0004205213.tif 000004
【図４】
0004205213.tif 000005
【図５】
0004205213.tif 000006